(57)【要約】【課題】本発明は、プリント基板に接続したフラットケーブルの子基板にコネクタを接続することにより、プリント基板にコネクタを設けることなく、コネクタを介して信号の送受を行うことを目的とする。【解決手段】本発明によるプリント基板の接続構造は、プリント基板(1)に一端(2a)が接続されたフラットケーブル(2)の他端(2b)に子基板(3)を介してコネクタ(4)を接続し、前記コネクタ(4)、子基板(3)及びフラットケーブル(2)を介してプリント基板(1)への信号の送受を行い、前記プリント基板(1)にはコネクタ(4)が設けられていない構成である。【選択図】図１
2009188023.tif 000002
【特許請求の範囲】
【請求項１】
プリント基板(1)に一端(2a)が接続されたフラットケーブル(2)と、前記フラットケーブル(2)の他端(2b)に接続された子基板(3)と、前記子基板(3)に接続されたコネクタ(4)と、からなり、
前記プリント基板(1)にはコネクタ(4)が設けられていないことを特徴とするプリント基板の接続構造。
【請求項２】
前記コネクタ(4)は、箱型をなすケーシング(10)の側壁(11,12)に設けられ、前記プリント基板(1)は前記ケーシング(10)の底板(13)上に固定され、前記フラットケーブル(2)は、前記コネクタ(4)とプリント基板(1)との間に位置することを特徴とする請求項１記載のプリント基板の接続構造。
【請求項３】
前記プリント基板(1)の両端には、前記コネクタ(4)に接続されたフラットケーブル(2)が設けられていることを特徴とする請求項１又は２記載のプリント基板の接続構造。
【請求項４】
前記ケーシング(10)の上部には、前記コネクタ(4)及び子基板(3)を覆う状態で蓋体(15)が設けられていることを特徴とする請求項２又は３記載のプリント基板の接続構造。
【発明の詳細な説明】
【技術分野】
【０００１】
本発明は、プリント基板の接続構造に関し、特に、プリント基板に接続したフラットケーブルに子基板を介してコネクタを接続することにより、プリント基板には直接コネクタを設けることなく、コネクタを用いてプリント基板に対する信号の入出力を行うための新規な改良に関する。
【背景技術】
【０００２】
従来、用いられていたこの種のプリント基板の接続構造としては、社内製作のみで特許出願をしていないため、特許文献は開示していないが、例えば、宇宙で用いられるロケット等に搭載される電子機器のプリント基板においては、このプリント基板上に直接コネクタを搭載してコネクタ接続を行うことは禁止され、そのため、プリント基板に接続された電線を用いて他のコネクタ及び部品等に接続していた。
【発明の開示】
【発明が解決しようとする課題】
【０００３】
従来のプリント基板の接続構造は、以上のように構成されていたため、次のような課題が存在していた。
すなわち、プリント基板に接続された多数のリード線を、プリント基板から離間して設けられたコネクタ又は他の部品に手作業で接続するために、誤配線の発生、接続作業の効率低下、半田付け後の検査の手間の発生等となり、この種のプリント基板の接続構造の生産効率向上、歩留まり向上、信頼性の向上、並びに、コストダウン等を達成することが困難であった。
【課題を解決するための手段】
【０００４】
本発明によるプリント基板の接続構造は、プリント基板に一端が接続されたフラットケーブルと、前記フラットケーブルの他端に接続された子基板と、前記子基板に接続されたコネクタと、からなり、前記プリント基板にはコネクタが設けられていない構成であり、また、前記コネクタは、箱型をなすケーシングの側壁に設けられ、前記プリント基板は前記ケーシングの底板上に固定され、前記フラットケーブルは、前記コネクタとプリント基板との間に位置する構成であり、また、前記プリント基板の両端には、前記コネクタに接続されたフラットケーブルが設けられている構成であり、また、前記ケーシングの上部には、前記コネクタ及び子基板を覆う状態で蓋体が設けられている構成である。
【発明の効果】
【０００５】
本発明によるプリント基板の接続構造は、以上のように構成されているため、次のような効果を得ることができる。
すなわち、プリント基板に一端が接続されたフラットケーブルと、前記フラットケーブルの他端に接続された子基板と、前記子基板に接続されたコネクタと、からなり、前記プリント基板にはコネクタが設けられていないため、宇宙用等として用いる場合のプリント基板に対する信号の入出力の信頼性を向上させることができる。
また、前記コネクタは、箱型をなすケーシングの側壁に設けられ、前記プリント基板は前記ケーシングの底板上に固定され、前記フラットケーブルは、前記コネクタとプリント基板との間に位置することにより、フラットケーブルを狭いスペース内に収納することができる。また、前記プリント基板の両端には、前記コネクタに接続されたフラットケーブルが設けられているため、両方からの信号の入出力が可能となる。
また、前記ケーシングの上部には、前記コネクタ及び子基板を覆う状態で蓋体が設けられているため、薄型とした状態で蓋が可能である。
【発明を実施するための最良の形態】
【０００６】
本発明は、プリント基板に接続したフラットケーブルに子基板を介してコネクタを接続することにより、プリント基板には直接コネクタを設けることなく、コネクタを用いてプリント基板に対する信号の入出力を行うようにしたプリント基板の接続構造を提供することを目的とする。
【実施例】
【０００７】
以下、図面と共に本発明によるプリント基板の接続構造の好適な実施の形態について説明する。
図１から図３において符号１で示されるものは、図示しないＩＣ等の電子部品が印刷又は搭載されたプリント基板であり、このプリント基板１の両端には、フラットケーブル２を介して前記プリント基板より小型の子基板３に接続されている。すなわち、フラットケーブル２の一端２ａがプリント基板１に接続され、他端２ｂが子基板３に接続されている。
【０００８】
前記各子基板３には、コネクタ４が直接接続されており、各コネクタ４及び子基板３を介して、外部に対する信号の入出力をプリント基板１に対して行うことができ、前記子基板３はプリントパターンのみが形成されている構成である。
尚、前記プリント基板１の両端にフラットケーブル２が設けられている場合について述べたが、一端のみにフラットケーブル２が設けられている構成も使用することができる。
【０００９】
前記フラットケーブル２、子基板３及びコネクタ４を有するプリント基板１は、図４から図７で示されるように、全体形状が箱型をなすケーシング１０内に収容されるように構成されている。
【００１０】
前記ケーシング１０の各側壁１１，１２には、前記各子基板３に接続された各コネクタ４が取付けられ、前記プリント基板１は前記ケーシング１０の底板１３に取付ねじ１４Ａによって固定されている。
【００１１】
前記プリント基板１と子基板３間のフラットケーブル２は、図３で示されるように曲折されると共に、前記子基板３及びコネクタ４とプリント基板１との間で曲折された状態で配設されている。
【００１２】
前記各コネクタ４の一部は、前記ケーシング１０の各側壁１１から外部へ突出して露出され、このケーシング１０の開口１４は蓋体１５によって覆われ、前述のプリント基板１、フラットケーブル２、子基板３及びコネクタ４が、前記蓋体１５によって覆われている。
【図面の簡単な説明】
【００１３】
【図１】本発明によるプリント基板の接続構造を示す平面図である。
【図２】図１の正面図である。
【図３】図２の要部の曲折状態を示す拡大図である。
【図４】図１のプリント基板を収納するケーシングを示す平面図である。
【図５】図４の平面図である。
【図６】図４の底面図である。
【図７】図４のＡ−Ａ断面図である。
【符号の説明】
【００１４】
１  プリント基板
２    フラットケーブル
２ａ    一端
２ｂ    他端
３    子基板
４    コネクタ
１０    ケーシング
１１，１２    側壁
１３    底板
１４    開口
１４Ａ    取付ねじ
１５    蓋体
【図１】
2009188023.tif 000003
【図２】
2009188023.tif 000004
【図３】
2009188023.tif 000005
【図４】
2009188023.tif 000006
【図５】
2009188023.tif 000007
【図６】
2009188023.tif 000008
【図７】
2009188023.tif 000009